(57)【要約】【課題】設置時の小さい傾きでも傾き方向が判り、定量的な傾き調整により水平設置ができる水平設置の検知精度が高い高性能な食器洗い機を提供する。【解決手段】被洗浄物８を収納する洗浄槽４の内底部に設けた水溜部５の外側に水溜部５と連通させて設けられ、洗浄槽４内の洗浄水の規定水位を検知するスイッチ１５を有した補助水溜部１６と、水溜部５に設けられた高さの異なる２本の水位検知目印１８ａ、１８ｂとを備え、高さの異なる２本の水位検知目印１８ａ、１８ｂと前記スイッチ１５を有した補助水溜部１６を洗浄槽４の対角に位置するよう設けたものであり、これにより水平設置時と傾斜設置時での水位検知目印近傍での水位変動差を大きくし、傾き方向と大きさが判る目印を設けることにより、水平設置の検出精度及び傾き調整の作業性を向上させた高品質な食器洗い機が実現可能となる。【選択図】図３
2013244316.tif 000002
【特許請求の範囲】
【請求項１】
本体内部に設けられ被洗浄物を収納し内底部に洗浄水を貯留する水溜部を有する洗浄槽と、前記洗浄槽内に設けられ洗浄水を被洗浄物に噴射する洗浄ノズルと、前記水溜部に設けられ洗浄水を加熱する電熱器と、前記洗浄槽の外側に前記水溜部と連通させて設けられ、前記洗浄槽内の洗浄水の規定水位を検知する水位検知部を有した補助水溜部と、前記水溜部に設けられた水位検知目印とを備え、前記水位検知目印と前記補助水溜部を前記洗浄槽の対角に位置するよう設けることで水平設置時と傾斜設置時との前記水位検知目印近傍での水位変動差を大きくした食器洗い機。
【請求項２】
前記水位検知目印の近傍に、水平設置時と傾斜設置時との水位検知目印近傍での水位変動差を定量的に確認できる目盛りを設けた請求項１記載の食器洗い機。
【請求項３】
前記水位検知目印近傍に、前記洗浄槽内の洗浄水の水位と平行になっているか確認することができる水平目印を設けた請求項１または２に記載の食器洗い機。
【発明の詳細な説明】
【技術分野】
【０００１】
本発明は、食器等を洗浄する食器洗い機に関する。より詳しくは、本発明は、食器洗い機の水平設置を検出するための水位検知目印に関するものである。
【背景技術】
【０００２】
従来この種の食器洗い機は、洗浄を目的として洗浄槽に貯水できるように水溜部を設けている。そして、機器が略水平に設置できているか確認することができる水位検知目印をこの水溜部に備えた構成としたものがある（例えば、非特許文献１参照）。
【０００３】
図６〜図８はこの種の一般的な食器洗い機の断面を示したもので、以下、その構成について説明する。食器洗い機は、食器等の被洗浄物８を洗浄槽４の前面に設けた開口部３から洗浄槽４に収容し、開口部３を扉体１１により閉塞してから、洗浄ポンプ６を運転し、洗浄ポンプ６によって加圧された洗浄水を洗浄ノズル７から噴射することにより、被洗浄物８の洗浄及びすすぎ工程を行うように構成されている。水溜部５には電熱器９と電熱器保護部品１が備え付けられており、溜められた水を加熱し、当該高温水を利用して洗浄を行う。
【０００４】
洗浄槽４の外側にスイッチ１５を有した補助水溜部１６が洗浄槽４の水溜部５と連通させて備え付けられており、給水口１９から給水された水が規定の水位まで上昇すると、スイッチ１５がＯＦＦし、給水弁１７が閉じて給水が停止する構成としている。
【０００５】
水溜部５には、高さの異なる２本の水位検知目印１８ａ、１８ｂが備え付けられており、給水が停止した時の水位が２本の水位検知目印１８ａ、１８ｂの上端の間に入っている（水平設置時の水位２２である）ことを確認することにより、機器が略水平に設置されていることを検出できるようになっている。
【先行技術文献】
【非特許文献】
【０００６】
【非特許文献１】パナソニック株式会社発行「Ｐａｎａｓｏｎｉｃ食器洗い乾燥機（家庭用）ＮＰ−ＴＳ１／ＮＰ−ＴＭ１取扱説明書」、２００８年９月、Ｐ２３
【発明の概要】
【発明が解決しようとする課題】
【０００７】
しかしながら、このような従来の食器洗い機では、図７、図８に示すようにスイッチ１５を有した補助水溜部１６の近傍に水位検知目印１８ａ、１８ｂが設けられており、水平設置時と傾斜設置時での水位検知目印１８ａ、１８ｂ近傍での水位変動差２４が小さい為、傾きが小さい場合、傾斜設置時の水位２３が水位検知目印１８ａ、１８ｂの間に入ったままであるので水平設置の検出精度が高くないという課題があった。また、そのために規定よりも少なく給水された場合に洗浄ノズル７からの洗浄水の噴射が不十分になり、被洗浄物８がうまく洗えないという課題があった。また、機器の傾き方向、及び大きさが定量的に判りにくいので、水平調整の作業性が良くないという課題もあった。
【０００８】
本発明は、上記従来の課題を解決するもので、水平設置の検出精度を向上させると共に、傾き調整の作業性を向上させた、高品質な食器洗い機を提供することを目的とする。
【課題を解決するための手段】
【０００９】
本発明は上記目的を達成するために、本体内部に設けられ被洗浄物を収納し内底部に洗
浄水を貯留する水溜部を有する洗浄槽と、前記洗浄槽内に設けられ洗浄水を被洗浄物に噴射する洗浄ノズルと、前記水溜部に設けられ洗浄水を加熱する電熱器と、前記洗浄槽の外側に前記水溜部と連通させて設けられ、前記洗浄槽内の洗浄水の規定水位を検知する水位検知部を有した補助水溜部と、前記水溜部に設けられた水位検知目印とを備え、前記水位検知目印と前記補助水溜部を前記洗浄槽の対角に位置するよう設けることで水平設置時と傾斜設置時との水位検知目印近傍での水位変動差を大きくした食器洗い機である。
【００１０】
これにより、水平設置の検出精度を向上させると共に、傾き調整の作業性を向上させた高品質な食器洗い機を実現可能とする。
【発明の効果】
【００１１】
本発明の食器洗い機によれば、水平設置の検出精度を向上させることが可能となる、同時にこれにより規定よりも少なく給水された場合での食器がうまく洗えない問題を防ぐことが可能となる。又、傾き調整の作業性を向上させた高品質な食器洗い機を提供することができる。
【図面の簡単な説明】
【００１２】
【図１】本発明の実施の形態１における食器洗い機の側面断面図
【図２】本発明の実施の形態１における食器洗い機の正面断面図
【図３】本発明の実施の形態１における食器洗い機の上面断面図
【図４】本発明の実施の形態２における食器洗い機の水位検知目印近傍に設けた目盛りを示す部分正面断面図
【図５】本発明の実施の形態３における食器洗い機の水位検知目印近傍に設けた水平目印を示す部分正面断面図
【図６】従来の食器洗い機の側面断面図
【図７】従来の食器洗い機の正面断面図
【図８】従来の食器洗い機の上面断面図
【発明を実施するための形態】
【００１３】
第１の発明は、本体内部に設けられ被洗浄物を収納し内底部に洗浄水を貯留する水溜部を有する洗浄槽と、前記洗浄槽内に設けられ洗浄水を被洗浄物に噴射する洗浄ノズルと、前記水溜部に設けられ洗浄水を加熱する電熱器と、前記洗浄槽の外側に前記水溜部と連通させて設けられ、前記洗浄槽内の洗浄水の規定水位を検知する水位検知部を有した補助水溜部と、前記水溜部に設けられた水位検知目印とを備え、前記水位検知目印と前記補助水溜部を前記洗浄槽の対角に位置するよう設けることで水平設置時と傾斜設置時との水位検知目印近傍での水位変動差を大きくしたことにより、水平設置の検出精度を向上させ、水平に設置されていることを正しく検出できる高品質な食器洗い機を実現できる。また、規定よりも少なく給水された場合での食器が洗えない問題を防ぐことが可能となる。また、傾き調整の作業性を向上させた高品質な食器洗い機を実現することができる。
【００１４】
第２の発明は、上記第１の発明において、前記水位検知目印の近傍に、水平設置時と傾斜設置時との水位検知目印近傍での水位変動差を定量的に確認できる目盛りを設けたことで、傾き調整が定量的に読み取れ傾き調整の作業性が向上できる高品質な食器洗い機を実現することができる。
【００１５】
第３の発明は、上記第１または第２の発明において、前記水位検知目印の近傍に、前記洗浄槽内の洗浄水の水位と平行になっているか確認することができる水平目印を設けたことにより、設置時の本体の傾きが小さく、傾き方向（前後又は左右）が判りにくい場合に、水平方向の目印と水位とが平行になっているか確認することにより傾きを精度良く容易に確認できる高品質な食器洗い機を実現することができる。
【００１６】
以下、本発明の実施の形態について、図面を参照しながら説明する。なお、この実施の形態によって本発明が限定されるものではない。
【００１７】
（実施の形態１）
図１〜図３は、本発明の第１の実施の形態における食器洗い機の構成を示している。図１は、水溜部５及び給水弁１７が切断される位置における食器洗い機の側面断面図である。図２は、水溜部５及び補助水溜部１６が切断される位置における食器洗い機の正面断面図である。図３は、食器かご１３より下側の位置における食器洗い機の上面断面図である。
【００１８】
図１〜図３において、食器などの被洗浄物８を洗浄する食器洗い機は、本体２内部に洗浄槽４が設けられている。また、本体２は前面部に被洗浄物８を出し入れするための開口部３を有している。洗浄槽４の内部には、被洗浄物８をセットする食器かご１３が開口部３から出し入れ可能に収納されている。開口部３は、扉体１１により開閉されるよう構成されている。また、扉体１１は、シール部材１４に当接することによって、開口部３を水密にシールして閉塞する。
【００１９】
洗浄槽４の下部には、主に食器かご１３にセットされた被洗浄物８に洗浄水を噴射して洗浄する洗浄ノズル７が設けられている。洗浄ノズル７は、洗浄槽４の前後方向の略中央に左右２個設けられており、それぞれ鉛直軸まわりに水平面内に回転可能に支持されている。また、洗浄槽４の下方には、洗浄ノズル７へ洗浄水を供給する洗浄ポンプ６が配置されている。洗浄ポンプ６は、水溜部５に貯留された洗浄水を洗浄ノズル７に圧送し、洗浄ノズル７に複数設けた噴射口７ａから洗浄水を噴射して被洗浄物８を洗浄する。
【００２０】
図３に示すように、洗浄槽４は、鉛直軸まわりに回転する洗浄ノズル７が左右に２個並設されていることに対応して平面視横長に形成されている。洗浄槽４内の底部には、洗浄槽４の後壁面左奥から左側の洗浄ノズル７の左側を通って前方に延び、さらに左右の洗浄ノズル７の前方と洗浄槽４の前側面との間を右方に延設させた平面視略Ｌ字形状（電熱器９への電力供給部の凸部を除く）の水溜部５が凹設されている。
【００２１】
この水溜部５の略Ｌ字形状の前方左右に延びる部分には、左側に洗浄水を加熱する電熱器９と電熱器保護部品１が配設され、その右側には洗浄ポンプ６および補助水溜部１６に連通する残菜回収部１０が配設されている。補助水溜部１６は洗浄槽４内の洗浄水の水位を検知するもので、洗浄槽４の右前部の外側で残菜回収部１０の右方に近接させて設けてある。補助水溜部１６には、水面に合わせて上下する水受け部２０を介してアーム２１が動作してスイッチ１５を作動させるように水位検知部を構成している。具体的には、給水口１９から給水された水が規定の水位まで上昇すると、スイッチ１５がＯＦＦし、給水弁１７が閉じて給水が停止するようになっている。
【００２２】
また、洗浄槽４内の底部に凹設された水溜部５の後壁面の左端部に高さの異なる２本の水位検知目印１８ａ、１８ｂが設けられている。この２本の水位検知目印１８ａ、１８ｂは、洗浄槽４内に給水され水溜部５に貯留された洗浄水の水位およびその水平度合いを目視にて確認するためのものである。以上のように構成することによって、水位検知目印１８ａ、１８ｂと補助水溜部１６は洗浄槽４の対角に離れて位置させてある。
【００２３】
以上のように構成した食器洗い機について、その動作、作用を説明する。食器洗い機を正しく安全に使用するには、運転中に水漏れが発生したり、洗浄水の噴射が不十分になったりしないように、実際の使用に先立って、食器洗い機が略水平に設置されているかを確認する必要がある。その確認の手順は以下のとおりである。扉体１１によって開口部３を
閉塞した後、スタートボタンを押すと、食器洗い機の運転が開始される。給水弁１７が開き、給水口１９に接続された水道配管から給水弁１７を介して洗浄槽４内に洗浄水となる水が給水される。給水口１９から給水された水が規定の水位まで上昇すると、図２に波線で示すように、水受け部２０を介してアーム２１が動作し、これによりスイッチ１５がＯＦＦになって電気信号により給水弁１７が閉じて給水が止まる。
【００２４】
この状態で、給水された水の水位が前記２本の水位検知目印１８ａ、１８ｂの上端の間に入っている（水平設置時の水位２２である）ことを確認することにより、機器が略水平に設置されていることを検出できる。ここで、図３に示すように、水位検知目印１８ａ、１８ｂとスイッチ１５を有した補助水溜部１６とを対角に設けることで水位検知目印１８ａ、１８ｂと補助水溜部１６とをより離れて構成することができ、図２に示すように、水平設置時の水位２２と傾斜設置時の水位２３との水位検知目印１８ａ、１８ｂ近傍での水位変動差２４を大きくすることができる。また、対角に設けることで、左右と前後の傾きを確認することができる。
【００２５】
以上のような本発明の食器洗い機の構成によれば、水平設置時と傾斜設置時での水位検知目印１８ａ、１８ｂの近傍での水位変動差２４を大きくすることができるので、設置の傾きが小さい場合でも傾斜設置時の水位２３を水位検知目印１８ａの上方向または水位検知目印１８ｂの下方向に出すことができ、水平設置の検出精度を向上させることができる。
【００２６】
なお、本実施の形態１では水位検知目印１８ａ、１８ｂを補助水溜部１６の対角位置で確認がしやすい背面に設けたが、同じく対角位置の側面に設けても良い。また、水位検知目印１８ａ、１８ｂを、補助水溜部１６と前後位置が同等の側面に設けた場合には、左右の傾きだけを精度良く検知することができるが、この場合には後述する実施の形態３で説明する水平目印を併用すれば前後の傾きも合わせて検知できる。
【００２７】
（実施の形態２）
図４は、本発明の第２の実施の形態における食器洗い機の水位検知目印近傍に設けた目盛りを示す部分正面断面図である。図４に示すように、水溜部５の後壁面に、水位検知目印１８ａの上端を基点に下方向に目盛り２５ａを設け、水位検知目印１８ｂの上端を基点に上方向に目盛り２５ｂを設けることで、傾斜設置時において水位検知目印１８ａ、１８ｂの上端との水位変動差を目盛り２５ａ、２５ｂで定量的に読み取ることができるので傾き調整の作業性が向上することができる。
【００２８】
（実施の形態３）
図５は、本発明の第３の実施の形態における食器洗い機の水位検知目印近傍に設けた水平目印を示す部分正面断面図である。図５に示すように、水溜部５の後壁面に、水位検知目印１８ａ、１８ｂの間に水平目印２６を設けることで、傾斜設置時において洗浄槽４内の洗浄水の水位と水平目印２６が水平になっているか確認して設置状態の左右の傾きの有無が判るようにできるので、どの方向に傾き調整をしたらよいかも容易に判断でき、傾き調整の作業性を向上することができる。また、水平目印２６を水溜部５の側壁面にも設けると、前後の傾きの状態を確認することができる。
【産業上の利用可能性】
【００２９】
以上のように、本発明にかかる食器洗い機は、水平設置の検出精度及び傾き調整の作業性が向上し、食器洗浄性能の安定が図れる高品質な食器洗い機であり、卓上型食器洗い機に限らずビルトイン・業務用の食器洗浄機に適用できる。
【符号の説明】
【００３０】
１  電熱器保護部品
２  本体
３  開口部
４  洗浄槽
５  水溜部
６  洗浄ポンプ
７  洗浄ノズル
８  被洗浄物
９  電熱器
１０  残菜回収部
１１  扉体
１３  食器かご
１４  シール部材
１５  スイッチ
１６  補助水溜部
１７  給水弁
１８ａ、１８ｂ  水位検知目印
１９  給水口
２０  水受け部
２１  アーム
２２  水平設置時の水位
２３  傾斜設置時の水位
２４  水位変動差
２５ａ、２５ｂ  目盛り
２６  水平目印
【図１】
2013244316.tif 000003
【図２】
2013244316.tif 000004
【図３】
2013244316.tif 000005
【図４】
2013244316.tif 000006
【図５】
2013244316.tif 000007
【図６】
2013244316.tif 000008
【図７】
2013244316.tif 000009
【図８】
2013244316.tif 000010